(57)【要約】【課題】開閉部材の最大開放角度を大小二段階に簡単に調整でき、また組み付け部材点数及び組み付け工数の減少、開閉装置全体の小型化を図る。【解決手段】取付部材３と支持部材５との間に、開閉部材４の最大開放角度を第１の最大開放角度θ１と第２の最大開放角度θ２に調整するための角度調整具７を備える。角度調整具７は、取付部材３に一つのビス１９を中心に１８０度反転可能で該ビス１９の締め付けにより固定可能な調整具本体１７と、この調整具本体１７に設けられ支持部材５の後端縁５ａに選択的に係合する第１ストッパー部２２と第２ストッパー部２３とを有し、第１ストッパー部２２は支持部材５の後端縁５ａに係合して開閉部材４を第１の最大開放角度θ１に制御する係合面２２ａを有し、第２ストッパー部２３は支持部材５の後端縁５ａに係合して開閉部材４を第２の最大開放角度θ２に制御する係合面２３ａを有する。【選択図】図４
2008240927.tif 000002
【特許請求の範囲】
【請求項１】
複写機等の装置本体に取付けられる取付部材と、該取付部材にヒンジ軸を介して回動自在に枢支連結され原稿圧着板等の開閉部材を支持する支持部材と、前記取付部材と前記支持部材との間に介装され前記支持部材を前記開閉部材の重量による閉じ方向のモーメントに抗して前記開閉部材を開放方向に回動付勢する弾性部材と、前記取付部材と前記支持部材との間に設けられ前記開閉部材の最大開放角度を調整するための角度調整具とを備えた開閉装置において、
前記角度調整具は、前記取付部材に一つのビスを中心に１８０度反転可能に且つ該ビスの締め付けで固定可能に取付けられると共に略上下対称形状に形成され且つ前記ビスの挿通されるビス挿通孔を有する調整具本体と、この調整具本体に設けられ前記支持部材の回動基端側の後端縁に選択的に係合する第１ストッパー部と第２ストッパー部とを有し、前記第１ストッパー部は前記支持部材の後端縁に係合して前記開閉部材を第１の最大開放角度に制御する係合面を有する形に形成し、第２ストッパー部は前記支持部材の後端縁に係合して前記開閉部材を第１の最大開放角度とは異なる最大開放角度の第２の最大開放角度に制御する係合面を有する形に形成してあることを特徴とする、開閉装置。
【請求項２】
前記ビス挿通孔が上下方向に延びる長孔に形成されている、請求項１記載の開閉装置。
【請求項３】
前記取付部材と前記角度調整具との間に、前記角度調整具を第１の最大開放角度に制御する姿勢と第２の最大開放角度に制御する姿勢に選択的に位置決めする位置決め手段を設けている、請求項１又は２に記載の開閉装置。
【発明の詳細な説明】
【技術分野】
【０００１】
本発明は、複写機などの原稿圧着板やＡＤＦ（原稿自動送り装置）等の開閉部材を開閉自在に支持する開閉装置に関する。
【背景技術】
【０００２】
この種の開閉装置として、たとえば、図７、図８に示すようなものがある（特許文献１参照。）。図７、図８に示す開閉装置は、複写機本体３１に取付けられる取付部材３２と、取付部材３２にヒンジ軸３３を介して回動自在に枢支連結され原稿圧着板３４を支持する支持部材３５と、取付部材３２と支持部材３５との間に介装されて原稿圧着板３４を開放方向に付勢するばね３６と、取付部材３２と支持部材３５との間に設けられて原稿圧着板３４の開閉角度を調整するための開閉角度調整具３７とを備える。開閉角度調整具３７は、その本体３７ａに上下方向に延びる左右一対の長孔３８を通って取付部材３２の後壁部３２ｃに形成した左右一対のねじ孔３９にそれぞれビス４０をねじ込むことにより、後壁部３２ｃに上下スライド可能に固定されている。また、開閉角度調整具３７は、その先端部３７ｃが支持部材３５の後端縁３５ａに当接可能に対向配置され、開閉角度調整具３７を上下方向にスライドさせて、その先端部３７ｃと支持部材３５の後端縁３５ａとの当接位置を変更することにより、原稿圧着板３４の開閉角度を調整可能に構成したものである。
【０００３】
【特許文献１】実開平７−４０９５７号公報
【発明の開示】
【発明が解決しようとする課題】
【０００４】
しかしながら、上記開閉装置では原稿圧着板３４の開閉角度を無段階に調整できる利点を有する反面、原稿圧着板３４の開閉角度調整に際しては取付部材３２の後壁部３２ｃに対し開閉角度調整具３７を上下方向にスライドさせるために、左右２つの長孔３８においてそれぞれビス４０で緩めたり、締め付けたりする必要があり、ビス４０を２個必要とする分だけ組み付け部材点数及び組み付け工数の増大を招くばかりか、その開閉角度調整に手間がかかるという問題があった。また、そのように開閉角度調整具３７は左右２つの長孔３８を必要とするものであることから、開閉角度調整具３７の左右方向幅寸法が長くなり、開閉装置の占有スペースを広く要し、近年の複写機等の開閉装置占有スペースの縮小化に反する。さらに、原稿圧着板３４の開閉角度調整後、原稿圧着板３４の開閉時の衝撃や振動等によりビス４０の締め付けが緩み、開閉角度調整具３７がずり下がって原稿圧着板３４の開閉角度に変動を来す恐れがあるという問題もあった。
【０００５】
本発明は、このような問題を解決するためになされたもので、原稿圧着板等の開閉部材の最大開放角度を大小二段階に簡単に調整でき、また組み付け部材点数及び組み付け工数の減少、開閉装置全体の小型化、開閉装置の占有スペースの狭小化を図れる開閉装置を提供することを目的とする。
【課題を解決するための手段】
【０００６】
本発明は、請求項１に記載のように、その発明を理解し易くするために図１〜６に示した符号を参照して説明すると、複写機等の装置本体２に取付けられる取付部材３と、該取付部材３にヒンジ軸１１を介して回動自在に枢支連結され原稿圧着板等の開閉部材４を支持する支持部材５と、取付部材３と支持部材５との間に介装され支持部材５を開閉部材４の重量による閉じ方向のモーメントに抗して開閉部材４を開放方向に回動付勢する弾性部材６と、取付部材３と支持部材５との間に設けられ開閉部材４の最大開放角度を調整するための角度調整具７とを備えた開閉装置において、前記角度調整具７は、取付部材３に一つのビス１９を中心に１８０度反転可能に且つ該ビス１９の締め付けで固定可能に取付けられると共に略上下対称形状に形成され且つビス１９の挿通されるビス挿通孔２０を有する調整具本体１７と、この調整具本体１７に設けられ支持部材５の回動基端側の後端縁５ａに選択的に係合する第１ストッパー部２２と第２ストッパー部２３とを有し、第１ストッパー部２２は支持部材５の後端縁５ａに係合して開閉部材４を第１の最大開放角度θ１に制御する係合面２２ａを有する形に形成し、第２ストッパー部２３は支持部材５の後端縁５ａに係合して開閉部材４を第１の最大開放角度θ１とは異なる最大開放角度の第２の最大開放角度θ２に制御する係合面２３ａを有する形に形成してあることに特徴を有するものである。
このように構成された開閉装置によれば、一つのビス１９を緩めこのビス１９を中心にして角度調整具７を１８０度反転させるだけの簡単な操作で、開閉部材４の最大開放角度を第１の最大開放角度θ１と第２の最大開放角度θ２の大小二段階に調整できる。
また、ビス１９及びビス挿通孔２０はそれぞれ一つで足りるため、組み付け部材点数及び組み付け工数を減少でき、また角度調整具７の左右横幅寸法の縮小化を図ることができ、それだけ開閉装置全体の小型化、開閉装置の占有スペースの狭小化を図れる。
【０００７】
請求項１記載の開閉装置は、請求項２に記載のように、前記ビス挿通孔２０が上下方向に延びる長孔に形成したものとすることができる。これによれば、角度調整具７を１８０度反転させるときに、ビス１９を少し緩めたままの状態で角度調整具７をビス挿通孔２０に沿って下方にずらすことにより支持部材５の後端縁５ａとの間の間隔を広げることができて反転スペースを確保できる。
【０００８】
請求項１又は２記載の開閉装置は、請求項３に記載のように、取付部材３と角度調整具７との間に、角度調整具７を第１の最大開放角度θ１に制御する姿勢と第２の最大開放角度θ２に制御する姿勢に選択的に位置決めする位置決め手段２４を設けたものとすることができる。これによれば、第１の最大開放角度θ１と第２の最大開放角度θ２の設定変更に際し角度調整具７の位置決めが簡単かつ確実に行える。
【発明の効果】
【０００９】
本発明によれば、開閉部材の最大開放角度を第１の最大開放角度と第２の最大開放角度の大小二段階に簡単に調整でき、また組み付け部材点数及び組み付け工数の減少、開閉装置全体の小型化、開閉装置の占有スペースの狭小化を図ることができる。
【発明を実施するための最良の形態】
【００１０】
以下、本発明に係る開閉装置の好適な実施形態を図面に基づき説明する。図１は本発明の一実施例を示す開閉装置を複写機に取付けた状態で原稿圧着板を第１の最大開放角度と第２の最大開放角度とに開放させた作動説明図、図２は同開閉装置から角度調整具を分離した分解斜視図、図３は第１の最大開放角度に制御した状態を示す開閉装置の断面図、図４は第１の最大開放角度に制御した状態を示す開閉装置の斜視図、図５は第２の最大開放角度に制御した状態を示す開閉装置の断面図、図６は第２の最大開放角度に制御した状態を示す開閉装置の斜視図である。
【００１１】
図１〜４に示すように、本発明に係る開閉装置１は、複写機等の装置本体２に取付けられる取付部材３と、この取付部材３に回動自在に枢支連結されると共に原稿圧着板やＡＤＦ等の開閉部材４を支持する支持部材５と、取付部材３と支持部材５との間に介装されると共に支持部材５を開閉部材４の重量による閉じ方向のモーメントに抗して開閉部材４を開放方向に回動付勢する弾性部材６と、取付部材３と支持部材５との間に設けられると共に開閉部材４の最大開放角度を大小二段階に調整するための角度調整具７とを備える。
【００１２】
図１、図３に示すように、取付部材３は頭部８と脚部９を有し、脚部９を装置本体２の上面に凹設した取付穴１０に差し込むことで装置本体２の上面に頭部８を突出するように取付けられる。
【００１３】
図３に示すように、支持部材５はこれの回動基端側の後端部が取付部材３の頭部８にヒンジ軸１１を介して上下方向に回動自在に枢支連結される。支持部材５にはスライダー１２が前後方向に摺動自在に組み込まれるとともに、該スライダー１２とばね受１３との間に圧縮コイルばね等による上記弾性部材６が介装される。
【００１４】
図３に示すように、支持部材５のスライダー１２と取付部材３の頭部８との間にはカム機構１４が設けられる。カム機構１４は、取付部材５の頭部８に固定されたカム面１５ａを有するカム部材１５と、スライダー１２の背面側に一体的に設けたカムフォロア１６を備える。このカム機構１４は、開閉部材４の全閉角度付近においてカムフォロア１６がカム部材１５のカム面１５ａ上におけるヒンジ軸１１の軸心から最も遠のく部分に接触してスライダー１２を弾性部材６を圧縮させる方向に押圧して前進移動させ、開閉部材４を次第に大きく開放するに伴いカムフォロア１６がカム面１５ａ上におけるヒンジ軸１１の軸心に近づく部分を摺接して行って弾性部材６を次第に長く伸ばす方向にスライダー１２を後退移動させるようにしている。
【００１５】
すなわち、開閉部材４が全閉した状態では、弾性部材６はカム機構１４により押されたスライダー１２を介して最も圧縮された状態にあって、開閉部材４の自重によって生じる閉じ方向のモーメントの大きさと、弾性部材６の弾力による開放方向のモーメントの大きさとが均衡を保って開閉部材４の全閉状態を保持する。この全閉状態から開閉部材４を開放して行くときには、開閉部材４の重量による閉じ方向のモーメントに抗して開放方向へ回動付勢している弾性部材６の弾力作用によってスライダー１２がカム機構１４を介して後退移動しながら開閉部材４を次第に大きく開放して行く。
【００１６】
本発明は、上記開閉装置１の取付部材３と支持部材５との間に、開閉部材４の最大開放角度を第１の最大開放角度θ１と、第１の最大開放角度θ１とは異なる第２の最大開放角度θ２の二段階に調整するための角度調整具７を設けることに特徴を有する。第１の最大開放角度θ１は、通常のユーザーが使用する場合にそなえて、例えば６０度とし、第２の最大開放角度θ２は、図１のように車椅子に乗ったユーザーが手を伸ばして開閉部材４に手が届く角度、例えば３０度とする。
【００１７】
図２に示すように、角度調整具７は、略上下対称形状に形成された四角形板状の調整具本体１７と、この調整具本体１７の左右両側端からそれぞれ後方へ折曲した左右の折曲片１８とを有する形状に形成される。調整具本体１７は左右幅方向中央部にビス１９が挿通する一つのビス挿通孔２０を設ける一方、取付部材３の頭部８の背面側にビス１９の螺合する雌ねじ孔２１を設ける。かくして、角度調整具７は、取付部材３の頭部８の背面上において、ビス挿通孔２０を雌ねじ孔２１に合致させ、ビス１９をビス挿通孔２０から雌ねじ孔２１にねじ込むことにより、ビス１９を中心に１８０度反転可能に且つ該ビス１９の締め付けで固定可能に取付けられる。ビス挿通孔２０は上下方向に長く延びる長孔に形成されている。
左右の各折曲片１８の上縁と下縁には第１ストッパー部２２と第２ストッパー部２３を形成する。第１ストッパー部２２は支持部材５の回動基端側の後端縁５ａに係合して開閉部材４を第１の最大開放角度θ１に制御する係合面２２ａを有する形に形成し、第２ストッパー部２３は支持部材５の後端縁５ａに係合して開閉部材４を第２の最大開放角度θ２に制御する係合面２３ａを有する形に形成してある。
【００１８】
取付部材３の背面側と角度調整具７との間には、調整具本体１７を第１の最大開放角度θ１に制御する姿勢と第２の最大開放角度θ２に制御する姿勢に選択的に位置決めする位置決め手段２４を設けている。位置決め手段２４は、図２に示すように、取付部材３の頭部８の背面側に設けた雌ねじ孔２１の左右両側に位置決め突起２５を設ける一方、調整具本体１７のビス挿通孔２０の左右両側に前記位置決め突起２５に選択的に嵌合する位置決め孔２６を上下対称に設けている。
【００１９】
かくして、開閉部材４を第１の最大開放角度θ１に調整する場合は、図３、図４に示すように、調整具本体１７を第１ストッパー部２２の係合面２２ａが上向きになるように且つ位置決め孔２６を位置決め突起２５に嵌合させてビス１９を締め付けて固定する。すると、開閉部材４が第１の最大開放角度θ１にまで開放すると、支持部材５の後端縁５ａが第１ストッパー部２２の係合面２２ａ上に係合して開閉部材４を当該開放角度位置に停止させることができる。
この状態から開閉部材４を第２の最大開放角度θ２に変更調整する場合は、ビス１９の締め付けをある程度緩めて角度調整具７をビス挿通孔２０に沿って下方にずらすことにより支持部材５の後端縁５ａとの間の間隔を広げて反転スペースを確保でき、この反転スペース内で角度調整具７をビス１９を中心に１８０度反転させる。この１８０度反転により、図５、図６に示すように、第２ストッパー部２３の係合面２３ａが上向きになり、位置決め孔２６を位置決め突起２５に嵌合させてビス１９を締め付けることにより角度調整具７が第２ストッパー部２３の係合面２３ａを上向きにする姿勢に固定される。すると、開閉部材４が第２の最大開放角度θ２にまで開放すると、支持部材５の後端縁５ａが第２ストッパー部２３の係合面２３ａ上に係合して開閉部材４を当該開放角度位置に停止させることができる。
【００２０】
上記のように構成された開閉装置１によれば、一つのビス１９を緩めて角度調整具７を１８０度反転させるだけの簡単な操作で開閉部材４の最大開放角度を第１の最大開放角度θ１と第２の最大開放角度θ２の大小二段階に調整することができる。
また、ビス１９及びビス挿通孔２０はそれぞれ一つで足りるため、それだけ組み付け部材点数及び組み付け工数を減少できる。さらに、ビス挿通孔２０は一つで足りることから角度調整具７の左右横幅寸法を縮小でき、それだけ開閉装置１全体を小型化することができて開閉装置１の占有スペースの狭小化を図ることができる。
【００２１】
なお、メンテナンス時などにおいて、開閉部材４を９０度付近まで開放させたい場合は、角度調整具７をビス１９と共に取付部材３から外してしまう。これで開閉部材４を９０度まで開放することができる。
【図面の簡単な説明】
【００２２】
【図１】本発明の一実施例を示す開閉装置を複写機に取付けた状態で原稿圧着板を第１の最大開放角度と第２の最大開放角度とに開放させた作動説明図である。
【図２】同開閉装置から角度調整具を分離した分解斜視図である。
【図３】第１の最大開放角度に制御した状態を示す開閉装置の断面図である。
【図４】第１の最大開放角度に制御した状態を示す開閉装置の斜視図である。
【図５】第２の最大開放角度に制御した状態を示す開閉装置の断面図である。
【図６】第２の最大開放角度に制御した状態を示す開閉装置の斜視図である。
【図７】従来例の開閉装置の縦断面図である。
【図８】図７の開閉装置の斜視図である。
【符号の説明】
【００２３】
１  開閉装置
２  装置本体
３  取付部材
４  開閉部材
５  支持部材
５ａ  後端縁
６  弾性部材
７  角度調整具
１１  ヒンジ軸
１７  調整具本体
１９  ビス
２０  ビス挿通孔
２２  第１ストッパー部
２２ａ  係合面
２３  第２ストッパー部
２３ａ  係合面
２４  位置決め手段
【図１】
2008240927.tif 000003
【図２】
2008240927.tif 000004
【図３】
2008240927.tif 000005
【図４】
2008240927.tif 000006
【図５】
2008240927.tif 000007
【図６】
2008240927.tif 000008
【図７】
2008240927.tif 000009
【図８】
2008240927.tif 000010